(57)【要約】  ガス絶縁開閉装置は、第１の方向に沿って延びるとともに第１の方向と垂直な第２の方向に沿って順番に並べられた複数の遮断器と、複数の遮断器のそれぞれの一端部から第１の方向および第２の方向と垂直な第３の方向に沿って立ち上げられた一端側立上げ部（１０１〜１０９）と、複数の遮断器のそれぞれの他端部から第３の方向に沿って立ち上げられた他端側立上げ部（１１１〜１１９）と、他端側立上げ部（１１１〜１１９）同士または一端側立上げ部（１０１〜１０９）同士を接続する複数の接続母線（３）と、を備える。複数の接続母線（３）の少なくとも１つは、一端側立上げ部（１０１〜１０９）と他端側立上げ部（１１１〜１１９）との間に接続母線（３）が通過する２つのライン（Ｌ２，Ｌ３）が設定される。
2018211707.tif 000002
【特許請求の範囲】
【請求項１】
第１の方向に沿って延びるとともに前記第１の方向と垂直な第２の方向に沿って順番に並べられた第１の遮断器から第９の遮断器と、
前記第１の遮断器から前記第９の遮断器のそれぞれの一端部から前記第１の方向および前記第２の方向と垂直な第３の方向に沿って立ち上げられた第１の一端側立上げ部から第９の一端側立上げ部と、
前記第１の遮断器から前記第９の遮断器のそれぞれの他端部から前記第３の方向に沿って立ち上げられた第１の他端側立上げ部から第９の他端側立上げ部と、
前記第１の他端側立上げ部と前記第４の他端側立上げ部とを接続する第１の接続母線と、
前記第２の他端側立上げ部と前記第５の他端側立上げ部とを接続する第２の接続母線と、
前記第３の他端側立上げ部と前記第６の他端側立上げ部とを接続する第３の接続母線と、
前記第４の一端側立上げ部と前記第７の一端側立上げ部とを接続する第４の接続母線と、
前記第５の一端側立上げ部と前記第８の一端側立上げ部とを接続する第５の接続母線と、
前記第６の一端側立上げ部と前記第９の一端側立上げ部とを接続する第６の接続母線と、を備え、
各前記一端側立上げ部に対して各前記他端側立上げ部の反対側となる位置に前記第２の方向に平行な第１のラインを設定し、各前記一端側立上げ部と各前記他端側立上げ部との間に前記第２の方向に平行な第２のラインを設定し、各前記一端側立上げ部と各前記他端側立上げ部との間であって前記第２のラインよりも各前記他端側立上げ部側となる位置に前記第２の方向に平行な第３のラインを設定し、各前記他端側立上げ部に対して各前記一端側立上げ部の反対側となる位置に前記第２の方向に平行な第４のラインを設定した場合に、
前記第１の接続母線は、前記第２のラインを通過するとともに、前記第１の他端側立上げ部に対して前記第１の一端側立上げ部側から接続され、前記第４の他端側立上げ部に対して前記第４の一端側立上げ部側から接続され、
前記第２の接続母線は、前記第３のラインを通過するとともに、前記第２の他端側立上げ部に対して前記第２の一端側立上げ部側から接続され、前記第５の他端側立上げ部に対して前記第５の一端側立上げ部側から接続され、
前記第３の接続母線は、前記第４のラインを通過するとともに、前記第３の他端側立上げ部に対して前記第３の一端側立上げ部の反対側から接続され、前記第６の他端側立上げ部に対して前記第６の一端側立上げ部の反対側から接続され、
前記第４の接続母線は、前記第１のラインを通過するとともに、前記第４の一端側立上げ部に対して前記第４の他端側立上げ部の反対側から接続され、前記第７の一端側立上げ部に対して前記第７の他端側立上げ部の反対側から接続され、
前記第５の接続母線は、前記第２のラインを通過するとともに、前記第５の一端側立上げ部に対して前記第５の他端側立上げ部側から接続され、前記第８の一端側立上げ部に対して前記第８の他端側立上げ部側から接続され、
前記第６の接続母線は、前記第３のラインを通過するとともに、前記第６の一端側立上げ部に対して前記第６の他端側立上げ部側から接続され、前記第９の一端側立上げ部に対して前記第９の他端側立上げ部側から接続されることを特徴とするガス絶縁開閉装置。
【請求項２】
前記第２の方向に沿って延びて前記第１の一端側立上げ部に接続される第１の主母線と、
前記第２の方向に沿って延びて前記第２の一端側立上げ部に接続される第２の主母線と、
前記第２の方向に沿って延びて前記第３の一端側立上げ部に接続される第３の主母線と、
前記第２の方向に沿って延びて前記第７の他端側立上げ部に接続される第４の主母線と、
前記第２の方向に沿って延びて前記第８の他端側立上げ部に接続される第５の主母線と、
前記第２の方向に沿って延びて前記第９の他端側立上げ部に接続される第６の主母線と、をさらに備え、
前記第１の主母線から前記第３の主母線のうちの１つの主母線と、前記第４の主母線から前記第６の主母線のうちの１つの主母線とが、各前記一端側立上げ部と各前記他端側立上げ部との間となる領域を通過することを特徴とする請求項１に記載のガス絶縁開閉装置。
【請求項３】
前記第１の一端側立上げ部から前記第９の一端側立上げ部および前記第１の他端側立上げ部から前記第９の他端側立上げ部のそれぞれに設けられた接地開閉器および計器用変流器をさらに備えることを特徴とする請求項１または２に記載のガス絶縁開閉装置。
【発明の詳細な説明】
【技術分野】
【０００１】
本発明は、１−１／２ＣＢ方式のガス絶縁開閉装置に関するものである。
【背景技術】
【０００２】
ガス絶縁開閉装置の回路方式には、高い信頼性を必要とする場合に、いわゆる１−１／２ＣＢ（Ｃｉｒｃｕｉｔ  Ｂｒａｋｅｒ，遮断器）方式が採用される場合がある。１−１／２ＣＢ方式では、２つの主母線の間に、３台の遮断器が直列接続されている。すなわち、１−１／２ＣＢ方式は、２回線の引出し用として３台の遮断器を使用し、母線事故の場合でも系統に影響を与えないようにするとともに、遮断器等の点検に際して線路の停止を伴わないように配慮した回路方式である。【０００３】
１−１／２ＣＢ方式では、２つの主母線の間に３台の遮断器が直列接続されているため、２つの主母線間の距離が長くなり、ガス絶縁開閉装置の設置スペースが大型化するという課題があった。そこで、１−１／２ＣＢ方式を採用した従来技術として、特許文献１に示されるような配置がある。特許文献１では、主母線の長手方向に直交する方向に遮断器を配置するとともに、それらの遮断器を主母線の長手方向に並べて配置している。この構成により、２つの主母線間の距離の短縮を図ることができ、ガス絶縁開閉装置の設置スペースの縮小化を図ることができる。
【先行技術文献】
【特許文献】
【０００４】
【特許文献１】特開２００８−２９０７９号公報
【発明の概要】
【発明が解決しようとする課題】
【０００５】
特許文献１では、三相導体を１つのタンクに収めた三相一括形のガス絶縁開閉装置が示されている。ガス絶縁開閉装置には、三相導体を別々のタンクに収めた相分離形のガス絶縁開閉装置がある。相分離形のガス絶縁開閉装置では、母線、遮断器、遮断器同士の間を接続する接続母線が別々のタンクに収められるため、ガス絶縁開閉装置が大型化する。ガス絶縁開閉装置全体を搭載できない車両を用いて運搬する場合には、ガス絶縁開閉装置を分割する必要がある。三相一括形よりも大型化した相分離形のガス絶縁開閉装置では、より小さな単位に分割して運搬する必要があるため、ガス絶縁開閉装置を設置する現地での組み立て作業の負担が増加してしまう。なお、接続母線からは送電線等に向かう引出し母線を立上げる必要があるため、一般的に接続母線は主母線よりも上部に配置されることが多い。【０００６】
本発明は、上記に鑑みてなされたものであって、装置の小型化を図ることができる相分離形のガス絶縁開閉装置を得ることを目的とする。
【課題を解決するための手段】
【０００７】
上述した課題を解決し、目的を達成するために、本発明にかかるガス絶縁開閉装置は、第１の方向に沿って延びるとともに第１の方向と垂直な第２の方向に沿って順番に並べられた第１の遮断器から第９の遮断器と、第１の遮断器から第９の遮断器のそれぞれの一端部から第１の方向および第２の方向と垂直な第３の方向に沿って立ち上げられた第１の一端側立上げ部から第９の一端側立上げ部と、第１の遮断器から第９の遮断器のそれぞれの他端部から第３の方向に沿って立ち上げられた第１の他端側立上げ部から第９の他端側立上げ部と、を備える。また、ガス絶縁開閉装置は、第１の他端側立上げ部と第４の他端側立上げ部とを接続する第１の接続母線と、第２の他端側立上げ部と第５の他端側立上げ部とを接続する第２の接続母線と、第３の他端側立上げ部と第６の他端側立上げ部とを接続する第３の接続母線と、第４の一端側立上げ部と第７の一端側立上げ部とを接続する第４の接続母線と、第５の一端側立上げ部と第８の一端側立上げ部とを接続する第５の接続母線と、第６の一端側立上げ部と第９の一端側立上げ部とを接続する第６の接続母線と、を備える。各一端側立上げ部に対して各他端側立上げ部の反対側となる位置に第２の方向に平行な第１のラインを設定し、各一端側立上げ部と各他端側立上げ部との間に第２の方向に平行な第２のラインを設定し、各一端側立上げ部と各他端側立上げ部との間であって第２のラインよりも各他端側立上げ部側となる位置に第２の方向に平行な第３のラインを設定し、各他端側立上げ部に対して各一端側立上げ部の反対側となる位置に第２の方向に平行な第４のラインを設定した場合に、第１の接続母線は、第２のラインを通過するとともに、第１の他端側立上げ部に対して第１の一端側立上げ部側から接続され、第４の他端側立上げ部に対して第４の一端側立上げ部側から接続され、第２の接続母線は、第３のラインを通過するとともに、第２の他端側立上げ部に対して第２の一端側立上げ部側から接続され、第５の他端側立上げ部に対して第５の一端側立上げ部側から接続され、第３の接続母線は、第４のラインを通過するとともに、第３の他端側立上げ部に対して第３の一端側立上げ部の反対側から接続され、第６の他端側立上げ部に対して第６の一端側立上げ部の反対側から接続され、第４の接続母線は、第１のラインを通過するとともに、第４の一端側立上げ部に対して第４の他端側立上げ部の反対側から接続され、第７の一端側立上げ部に対して第７の他端側立上げ部の反対側から接続され、第５の接続母線は、第２のラインを通過するとともに、第５の一端側立上げ部に対して第５の他端側立上げ部側から接続され、第８の一端側立上げ部に対して第８の他端側立上げ部側から接続され、第６の接続母線は、第３のラインを通過するとともに、第６の一端側立上げ部に対して第６の他端側立上げ部側から接続され、第９の一端側立上げ部に対して第９の他端側立上げ部側から接続される。
【発明の効果】
【０００８】
本発明にかかるガス絶縁開閉装置によれば、装置の小型化を図ることができるという効果を奏する。
【図面の簡単な説明】
【０００９】
【図１】本発明の実施の形態１にかかるガス絶縁開閉装置を単結線図で概略的に示した図
【図２】図１に示す矢印Ｗに沿って見た場合のガス絶縁開閉装置の概略構成を概念的に示す図
【図３】図２に示すガス絶縁開閉装置の平面図であって、主に主母線が設けられた層を示す図
【図４】図２に示すガス絶縁開閉装置の平面図であって、主に接続母線が設けられた層を示す図
【図５】図４に示すＡ１−Ａ１線に沿った断面図
【図６】図４に示すＡ２−Ａ２線に沿った断面図
【図７】図４に示すＡ３−Ａ３線に沿った断面図
【図８】図４に示すＢ１−Ｂ１線に沿った断面図
【図９】図４に示すＢ２−Ｂ２線に沿った断面図
【図１０】図４に示すＢ３−Ｂ３線に沿った断面図
【図１１】図４に示すＣ１−Ｃ１線に沿った断面図
【図１２】図４に示すＣ２−Ｃ２線に沿った断面図
【図１３】図４に示すＣ３−Ｃ３線に沿った断面図
【図１４】比較例にかかるガス絶縁開閉装置の概略構成を概念的に示す図
【図１５】図１４に示すガス絶縁開閉装置の平面図であって、主に接続母線が設けられた層を示す図
【図１６】図１５に示すＡ２１−Ａ２１線に沿った断面図
【図１７】図１５に示すＡ２２−Ａ２２線に沿った断面図
【図１８】図１５に示すＡ２３−Ａ２３線に沿った断面図
【図１９】図１５に示すＢ２１−Ｂ２１線に沿った断面図
【図２０】図１５に示すＢ２２−Ｂ２２線に沿った断面図
【図２１】図１５に示すＢ２３−Ｂ２３線に沿った断面図
【図２２】図１５に示すＣ２１−Ｃ２１線に沿った断面図
【図２３】図１５に示すＣ２２−Ｃ２２線に沿った断面図
【図２４】図１５に示すＣ２３−Ｃ２３線に沿った断面図
【図２５】実施の形態１の変形例にかかるガス絶縁開閉装置の概略構成を概念的に示す図
【図２６】図２５に示すガス絶縁開閉装置の平面図であって、主に主母線が設けられた層を示す図
【図２７】変形例にかかるガス絶縁開閉装置の断面図であって、図４に示すＡ１−Ａ１線に沿った断面図に相当する図
【図２８】変形例にかかるガス絶縁開閉装置の断面図であって、図４に示すＡ２−Ａ２線に沿った断面図に相当する図
【図２９】変形例にかかるガス絶縁開閉装置の断面図であって、図４に示すＡ３−Ａ３線に沿った断面図に相当する図
【図３０】変形例にかかるガス絶縁開閉装置の断面図であって、図４に示すＢ１−Ｂ１線に沿った断面図に相当する図
【図３１】変形例にかかるガス絶縁開閉装置の断面図であって、図４に示すＢ２−Ｂ２線に沿った断面図に相当する図
【図３２】変形例にかかるガス絶縁開閉装置の断面図であって、図４に示すＢ３−Ｂ３線に沿った断面図に相当する図
【図３３】変形例にかかるガス絶縁開閉装置の断面図であって、図４に示すＣ１−Ｃ１線に沿った断面図に相当する図
【図３４】変形例にかかるガス絶縁開閉装置の断面図であって、図４に示すＣ２−Ｃ２線に沿った断面図に相当する図
【図３５】変形例にかかるガス絶縁開閉装置の断面図であって、図４に示すＣ３−Ｃ３線に沿った断面図に相当する図
【発明を実施するための形態】
【００１０】
以下に、本発明の実施の形態にかかるガス絶縁開閉装置を図面に基づいて詳細に説明する。なお、この実施の形態によりこの発明が限定されるものではない。
【００１１】
実施の形態１．
図１は、本発明の実施の形態１にかかるガス絶縁開閉装置を単結線図で概略的に示した図である。本実施の形態１にかかるガス絶縁開閉装置５０は、いわゆる１−１／２ＣＢ方式が採用されている。１−１／２ＣＢ方式のガス絶縁開閉装置５０では、２本の主母線１，２の間が接続母線３で接続される。１本の接続母線３の途中には、３つの遮断器４が直列に配置される。接続母線３上の各遮断器４の間からは引出し母線５，６が分岐される。引出し母線５，６は、図示を省略した送電線または変圧器に接続される。接続母線３の途中に設けられた各遮断器４の両側には、計器用変流器７と断路器８と接地開閉器９とが備えられる。遮断器４は、ＳＦ６に例示される絶縁消弧性ガスが充填された筒部の内部に遮断部（図示せず）が設けられて構成される。
【００１２】
本実施の形態１にかかるガス絶縁開閉装置５０は、三相導体を別々のタンクに収めた相分離形のガス絶縁開閉装置である。そのため、主母線１は、第１の主母線であるＡ相主母線１ａ、第２の主母線であるＢ相主母線１ｂ、第３の主母線であるＣ相主母線１ｃを有する。また、主母線２は、第４の主母線であるＡ相主母線２ａ、第５の主母線であるＢ相主母線２ｂ、第６の主母線であるＣ相主母線２ｃを有する。接続母線３は、Ａ相主母線１ａ，２ａ間を接続する接続母線３ａと、Ｂ相主母線１ｂ，２ｂ間を接続する接続母線３ｂと、Ｃ相主母線１ｃ，２ｃ間を接続する接続母線３ｃとを有する。接続母線３ａ，３ｂ，３ｃのそれぞれに遮断器４、引出し母線５，６、計器用変流器７、断路器８、接地開閉器９が設けられる。
【００１３】
次に、ガス絶縁開閉装置５０の詳細な構成について説明する。図２は、図１に示す矢印Ｗに沿って見た場合のガス絶縁開閉装置５０の概略構成を概念的に示す図である。図２に示すように、遮断器４を挟んだ一方側に主母線１であるＡ相主母線１ａ、Ｂ相主母線１ｂおよびＣ相主母線１ｃが設けられている。主母線１は、遮断器４に近い方から順にＡ相主母線１ａ、Ｂ相主母線１ｂ、Ｃ相主母線１ｃの順に並べて配置されている。遮断器４を挟んだ他方側に主母線２であるＡ相主母線２ａ、Ｂ相主母線２ｂおよびＣ相主母線２ｃが設けられている。主母線２は、遮断器４に近い方から順にＡ相主母線２ａ、Ｂ相主母線２ｂ、Ｃ相主母線２ｃの順に並べて配置されている。Ａ相主母線１ａ，２ａ、Ｂ相主母線１ｂ，２ｂおよびＣ相主母線１ｃ，２ｃは、Ｙ軸に沿って延びる。ガス絶縁開閉装置５０では、主母線１，２が設けられる層と、接続母線３が設けられる層とが上下に分けられている。
【００１４】
図３は、図２に示すガス絶縁開閉装置５０の平面図であって、主に主母線１，２が設けられた層を示す図である。図４は、図２に示すガス絶縁開閉装置５０の平面図であって、主に接続母線３が設けられた層を示す図である。図３では、図面の理解容易化のために遮断器４を破線で示している。図４では、図面の理解容易化のために遮断器４の記載を省略している。なお、以下の説明において、Ｘ軸とＹ軸とＺ軸とを定義する。Ｙ軸はＸ軸に垂直な軸であり、Ｚ軸はＸ軸とＹ軸とに垂直な軸である。Ｘ軸に沿った方向が第１の方向であり、Ｙ軸に沿った方向が第２の方向であり、Ｚ軸に沿った方向が第３の方向である。また、Ｘ軸の正の方向側を右側とし、Ｘ軸の負の方向側を左側とする。また、Ｚ軸の正の方向側を上側とし、Ｚ軸の負の方向側を下側とする。
【００１５】
図２、図３および図４に示すように、遮断器４はＸ軸に沿った方向に延びている。図４に示すように、遮断器４は、Ｙ軸に沿って順番に並べられた第１の遮断器４１、第２の遮断器４２、第３の遮断器４３、第４の遮断器４４、第５の遮断器４５、第６の遮断器４６、第７の遮断器４７、第８の遮断器４８、第９の遮断器４９を有する。
【００１６】
第１の遮断器４１の一端部には、Ｚ軸に沿って立ち上げられた第１の一端側立上げ部１０１が設けられ、第１の遮断器４１の他端部には、Ｚ軸に沿って立ち上げられた第１の他端側立上げ部１１１が設けられる。第２の遮断器４２の一端部には、Ｚ軸に沿って立ち上げられた第２の一端側立上げ部１０２が設けられ、第２の遮断器４２の他端部には、Ｚ軸に沿って立ち上げられた第２の他端側立上げ部１１２が設けられる。第３の遮断器４３の一端部には、Ｚ軸に沿って立ち上げられた第３の一端側立上げ部１０３が設けられ、第３の遮断器４３の他端部には、Ｚ軸に沿って立ち上げられた第３の他端側立上げ部１１３が設けられる。第４の遮断器４４の一端部には、Ｚ軸に沿って立ち上げられた第４の一端側立上げ部１０４が設けられ、第４の遮断器４４の他端部には、Ｚ軸に沿って立ち上げられた第４の他端側立上げ部１１４が設けられる。第５の遮断器４５の一端部には、Ｚ軸に沿って立ち上げられた第５の一端側立上げ部１０５が設けられ、第５の遮断器４５の他端部には、Ｚ軸に沿って立ち上げられた第５の他端側立上げ部１１５が設けられる。第６の遮断器４６の一端部には、Ｚ軸に沿って立ち上げられた第６の一端側立上げ部１０６が設けられ、第６の遮断器４６の他端部には、Ｚ軸に沿って立ち上げられた第６の他端側立上げ部１１６が設けられる。第７の遮断器４７の一端部には、Ｚ軸に沿って立ち上げられた第７の一端側立上げ部１０７が設けられ、第７の遮断器４７の他端部には、Ｚ軸に沿って立ち上げられた第７の他端側立上げ部１１７が設けられる。第８の遮断器４８の一端部には、Ｚ軸に沿って立ち上げられた第８の一端側立上げ部１０８が設けられ、第８の遮断器４８の他端部には、Ｚ軸に沿って立ち上げられた第８の他端側立上げ部１１８が設けられる。第９の遮断器４９の一端部には、Ｚ軸に沿って立ち上げられた第９の一端側立上げ部１０９が設けられ、第９の遮断器４９の他端部には、Ｚ軸に沿って立ち上げられた第９の他端側立上げ部１１９が設けられる。
【００１７】
図５は、図４に示すＡ１−Ａ１線に沿った断面図である。図６は、図４に示すＡ２−Ａ２線に沿った断面図である。図７は、図４に示すＡ３−Ａ３線に沿った断面図である。図８は、図４に示すＢ１−Ｂ１線に沿った断面図である。図９は、図４に示すＢ２−Ｂ２線に沿った断面図である。図１０は、図４に示すＢ３−Ｂ３線に沿った断面図である。図１１は、図４に示すＣ１−Ｃ１線に沿った断面図である。図１２は、図４に示すＣ２−Ｃ２線に沿った断面図である。図１３は、図４に示すＣ３−Ｃ３線に沿った断面図である。なお、断面図において理解の容易化のためにハッチングを省略している。
【００１８】
図５〜図１３に示すように、第１の一端側立上げ部１０１〜第９の一端側立上げ部１０９および第１の他端側立上げ部１１１〜第９の他端側立上げ部１１９のそれぞれには、計器用変流器７と接地開閉器９とが設けられている。
【００１９】
次に、接続母線３の経路について説明する。接続母線３の経路を説明するうえで、Ｙ軸に平行な４本のラインを仮想的に定義する。まず、各一端側立上げ部１０１〜１０９に対して各他端側立上げ部１１１〜１１９の反対側となる位置、すなわち各一端側立上げ部１０１〜１０９の左側となる位置にＹ軸に平行な第１のラインＬ１を設定する。また、各一端側立上げ部１０１〜１０９と各他端側立上げ部１１１〜１１９との間にＹ軸に平行な第２のラインＬ２を設定する。また、各一端側立上げ部１０１〜１０９と各他端側立上げ部１１１〜１１９との間であって第２のラインＬ２よりも各他端側立上げ部１１１〜１１９側となる位置、すなわち第２のラインＬ２の右側にＹ軸に平行な第３のラインＬ３を設定する。また、各他端側立上げ部１１１〜１１９に対して各一端側立上げ部１０１〜１０９の反対側となる位置、すなわち各他端側立上げ部１１１〜１１９の右側にＹ軸に平行な第４のラインＬ４を設定する。第１のラインＬ１〜第４のラインＬ４は、主母線１，２よりも上方かつ各一端側立上げ部１０１〜１０９への接続母線３の接続口および各他端側立上げ部１１１〜１１９への接続母線３の接続口よりも上方に設定される。
【００２０】
まず、Ａ相主母線１ａ，２ａ間を接続する接続母線３ａの経路について説明する。図５に示すように、Ａ相主母線１ａから分岐された接続母線３ａは、第１の一端側立上げ部１０１に対して左側から接続されている。
【００２１】
第１の一端側立上げ部１０１に接続された接続母線３ａは、第１の遮断器４１を経て、第１の他端側立上げ部１１１の左側から引き出される。図４および図５に示すように、第１の他端側立上げ部１１１の左側から引き出された第１の接続母線である接続母線３ａは、第１の遮断器４１の上方および第４の遮断器４４の上方を通過する部分以外では、第２のラインＬ２を通過して、第１の他端側立上げ部１１１と第４の他端側立上げ部１１４とを接続する。図６に示すように、第１の他端側立上げ部１１１と第４の他端側立上げ部１１４とを接続する接続母線３ａは、第４の他端側立上げ部１１４に左側から接続される。第１の他端側立上げ部１１１と第４の他端側立上げ部１１４とを接続する接続母線３ａには、２つの断路器８が設けられている。図８に示すように、第２のラインＬ２を通過する接続母線３ａからは、引出し母線５が分岐されている。
【００２２】
図４および図６に示すように、第４の他端側立上げ部１１４に接続された接続母線３ａは、第４の遮断器４４を経て、第４の一端側立上げ部１０４の左側から引き出される。第４の一端側立上げ部１０４の左側から引き出された第４の接続母線である接続母線３ａは、第１のラインＬ１を通過して、第４の一端側立上げ部１０４と第７の一端側立上げ部１０７とを接続する。図７に示すように、第４の一端側立上げ部１０４と第７の一端側立上げ部１０７とを接続する接続母線３ａは、第７の一端側立上げ部１０７に左側から接続される。第４の一端側立上げ部１０４と第７の一端側立上げ部１０７とを接続する接続母線３ａには、２つの断路器８が設けられている。図９に示すように、第１のラインＬ１を通過する接続母線３ａからは、引出し母線６が分岐されている。
【００２３】
図７に示すように、第７の一端側立上げ部１０７に接続された接続母線３ａは、第７の遮断器４７を経て、第７の他端側立上げ部１１７の右側から引き出されてＡ相主母線２ａに接続される。
【００２４】
次に、Ｂ相主母線１ｂ，２ｂ間を接続する接続母線３ｂの経路について説明する。図８に示すように、Ｂ相主母線１ｂから分岐された接続母線３ｂは、第２の一端側立上げ部１０２に対して左側から接続されている。
【００２５】
第２の一端側立上げ部１０２に接続された接続母線３ｂは、第２の遮断器４２を経て、第２の他端側立上げ部１１２の左側から引き出される。図４および図８に示すように、第２の他端側立上げ部１１２の左側から引き出された第２の接続母線である接続母線３ｂは、第２の遮断器４２の上方および第５の遮断器４５の上方を通過する部分以外では、第３のラインＬ３を通過して、第２の他端側立上げ部１１２と第５の他端側立上げ部１１５とを接続する。図９に示すように、第２の他端側立上げ部１１２と第５の他端側立上げ部１１５とを接続する接続母線３ｂは、第５の他端側立上げ部１１５に左側から接続される。第２の他端側立上げ部１１２と第５の他端側立上げ部１１５とを接続する接続母線３ｂには、２つの断路器８が設けられている。図１１に示すように、第３のラインＬ３を通過する接続母線３ｂからは、引出し母線５が分岐されている。
【００２６】
図４および図９に示すように、第５の他端側立上げ部１１５に接続された接続母線３ｂは、第５の遮断器４５を経て、第５の一端側立上げ部１０５の右側から引き出される。第５の一端側立上げ部１０５の右側から引き出された第５の接続母線である接続母線３ｂは、第２のラインＬ２を通過して、第５の一端側立上げ部１０５と第８の一端側立上げ部１０８とを接続する。図１０に示すように、第５の一端側立上げ部１０５と第８の一端側立上げ部１０８とを接続する接続母線３ｂは、第８の一端側立上げ部１０８に右側から接続される。第５の一端側立上げ部１０５と第８の一端側立上げ部１０８とを接続する接続母線３ｂには、２つの断路器８が設けられている。図１２に示すように、第２のラインＬ２を通過する接続母線３ｂからは、引出し母線６が分岐されている。
【００２７】
図１０に示すように、第８の一端側立上げ部１０８に接続された接続母線３ｂは、第８の遮断器４８を経て、第８の他端側立上げ部１１８の右側から引き出されてＢ相主母線２ｂに接続される。
【００２８】
次に、Ｃ相主母線１ｃ，２ｃ間を接続する接続母線３ｃの経路について説明する。図１１に示すように、Ｃ相主母線１ｃから分岐された接続母線３ｃは、第３の一端側立上げ部１０３に対して左側から接続されている。
【００２９】
第３の一端側立上げ部１０３に接続された接続母線３ｃは、第３の遮断器４３を経て、第３の他端側立上げ部１１３の右側から引き出される。図４および図１１に示すように、第３の他端側立上げ部１１３の右側から引き出された第３の接続母線である接続母線３ｃは、第４のラインＬ４を通過して、第３の他端側立上げ部１１３と第６の他端側立上げ部１１６とを接続する。図１２に示すように、第３の他端側立上げ部１１３と第６の他端側立上げ部１１６とを接続する接続母線３ｃは、第６の他端側立上げ部１１６に右側から接続される。第３の他端側立上げ部１１３と第６の他端側立上げ部１１６とを接続する接続母線３ｃには、２つの断路器８が設けられている。図６に示すように、第４のラインＬ４を通過する接続母線３ｃからは、引出し母線５が分岐されている。
【００３０】
図４および図１２に示すように、第６の他端側立上げ部１１６に接続された接続母線３ｃは、第６の遮断器４６を経て、第６の一端側立上げ部１０６の右側から引き出される。第６の一端側立上げ部１０６の右側から引き出された第６の接続母線である接続母線３ｃは、第６の遮断器４６の上方および第９の遮断器４９の上方を通過する部分以外では、第３のラインＬ３を通過して、第６の一端側立上げ部１０６と第９の一端側立上げ部１０９とを接続する。図１３に示すように、第６の一端側立上げ部１０６と第９の一端側立上げ部１０９とを接続する接続母線３ｃは、第９の一端側立上げ部１０９に右側から接続される。第６の一端側立上げ部１０６と第９の一端側立上げ部１０９とを接続する接続母線３ｃには、２つの断路器８が設けられている。図７に示すように、第３のラインＬ３を通過する接続母線３ｃからは、引出し母線６が分岐されている。
【００３１】
図１３に示すように、第９の一端側立上げ部１０９に接続された接続母線３ｃは、第９の遮断器４９を経て、第９の他端側立上げ部１１９の右側から引き出されてＣ相主母線２ｃに接続される。
【００３２】
以上説明した接続母線３ａ〜３ｃの経路によれば、図２に示した概念図のように、すべての接続母線３が第１のラインＬ１〜第４のラインＬ４の４つのラインに納められる。また、第１のラインＬ１〜第４のラインＬ４のうち第２のラインＬ２と第３のラインＬ３は、各一端側立上げ部１０１〜１０９と各他端側立上げ部１１１〜１１９との間に設けられる。
【００３３】
なお、各一端側立上げ部１０１〜１０９および各他端側立上げ部１１１〜１１９は、左右両方から接続母線３を接続可能な構成とすることで、接続母線３の左側からの接続にも右側からの接続にも対応できるため、部品の共通化を図りガス絶縁開閉装置５０の製造コストの削減を図ることができる。
【００３４】
次に、比較例にかかるガス絶縁開閉装置について説明する。図１４は、比較例にかかるガス絶縁開閉装置１５０の概略構成を概念的に示す図である。図１５は、図１４に示すガス絶縁開閉装置１５０の平面図であって、主に接続母線３が設けられた層を示す図である。図１６は、図１５に示すＡ２１−Ａ２１線に沿った断面図である。図１７は、図１５に示すＡ２２−Ａ２２線に沿った断面図である。図１８は、図１５に示すＡ２３−Ａ２３線に沿った断面図である。図１９は、図１５に示すＢ２１−Ｂ２１線に沿った断面図である。図２０は、図１５に示すＢ２２−Ｂ２２線に沿った断面図である。図２１は、図１５に示すＢ２３−Ｂ２３線に沿った断面図である。図２２は、図１５に示すＣ２１−Ｃ２１線に沿った断面図である。図２３は、図１５に示すＣ２２−Ｃ２２線に沿った断面図である。図２４は、図１５に示すＣ２３−Ｃ２３線に沿った断面図である。比較例にかかるガス絶縁開閉装置１５０では、接続母線３の経路が実施の形態１にかかるガス絶縁開閉装置５０と異なっている。
【００３５】
具体的には、第１の他端側立上げ部１１１と第４の他端側立上げ部１１４とを接続する接続母線３ａ、第２の他端側立上げ部１１２と第５の他端側立上げ部１１５とを接続する接続母線３ｂ、および第３の他端側立上げ部１１３と第６の他端側立上げ部１１６とを接続する接続母線３ｃは、各他端側立上げ部１１１〜１１６の右側を通過する。
【００３６】
また、第４の一端側立上げ部１０４と第７の一端側立上げ部１０７とを接続する接続母線３ａ、第５の一端側立上げ部１０５と第８の一端側立上げ部１０８とを接続する接続母線３ｂ、および第６の一端側立上げ部１０６と第９の一端側立上げ部１０９とを接続する接続母線３ｃは、各一端側立上げ部１０４〜１０９の左側を通過する。
【００３７】
接続母線３が上記経路を通過することで、図１４に示した概念図のように、各一端側立上げ部１０１〜１０９と各他端側立上げ部１１１〜１１９との間となる領域を挟んだ両側に３本ずつの接続母線３が通過する。したがって、接続母線３が占める領域の左右方向における幅が広がる。
【００３８】
一方、実施の形態１にかかるガス絶縁開閉装置５０では、上述したようにすべての接続母線３が第１のラインＬ１〜第４のラインＬ４の４つのラインに納められる。また、第１のラインＬ１〜第４のラインＬ４のうち第２のラインＬ２と第３のラインＬ３は、各一端側立上げ部１０１〜１０９と各他端側立上げ部１１１〜１１９との間に設けられる。そのため、接続母線３が占める領域の左右方向における幅を狭めることができる。これにより、遮断器４、各一端側立上げ部１０１〜１０９、各他端側立上げ部１１１〜１１９、および接続母線３を事前に組み立てたユニットに分割して運搬する場合に、運搬車両に要求される積み込みスペースの縮小化を図ることができる。これにより、運搬車両の小型化を図ることができる。また、ガス絶縁ユニットの分割数を減らして、ガス絶縁開閉装置５０を設置する現地での組み立て作業の負担の軽減を図ることができる。
【００３９】
次に、本実施の形態１の変形例にかかるガス絶縁開閉装置５０について説明する。図２５は、実施の形態１の変形例にかかるガス絶縁開閉装置５０の概略構成を概念的に示す図である。図２６は、図２５に示すガス絶縁開閉装置５０の平面図であって、主に主母線１，２が設けられた層を示す図である。図２７は、変形例にかかるガス絶縁開閉装置５０の断面図であって、図４に示すＡ１−Ａ１線に沿った断面図に相当する図である。図２８は、変形例にかかるガス絶縁開閉装置５０の断面図であって、図４に示すＡ２−Ａ２線に沿った断面図に相当する図である。図２９は、変形例にかかるガス絶縁開閉装置５０の断面図であって、図４に示すＡ３−Ａ３線に沿った断面図に相当する図である。図３０は、変形例にかかるガス絶縁開閉装置５０の断面図であって、図４に示すＢ１−Ｂ１線に沿った断面図に相当する図である。図３１は、変形例にかかるガス絶縁開閉装置５０の断面図であって、図４に示すＢ２−Ｂ２線に沿った断面図に相当する図である。図３２は、変形例にかかるガス絶縁開閉装置５０の断面図であって、図４に示すＢ３−Ｂ３線に沿った断面図に相当する図である。図３３は、変形例にかかるガス絶縁開閉装置５０の断面図であって、図４に示すＣ１−Ｃ１線に沿った断面図に相当する図である。図３４は、変形例にかかるガス絶縁開閉装置５０の断面図であって、図４に示すＣ２−Ｃ２線に沿った断面図に相当する図である。図３５は、変形例にかかるガス絶縁開閉装置５０の断面図であって、図４に示すＣ３−Ｃ３線に沿った断面図に相当する図である。
【００４０】
変形例にかかるガス絶縁開閉装置５０では、主母線１，２の経路が図３等で示した例とは異なっている。具体的には、Ｃ相主母線１ｃとＡ相主母線２ａが、各一端側立上げ部１０１〜１０９と各他端側立上げ部１１１〜１１９との間となる領域を通過する。Ｃ相主母線１ｃは、第２のラインＬ２の下方を通過し、Ａ相主母線２ａは、第３のラインＬ３の下方を通過する。
【００４１】
図２７に示すように、Ａ相主母線１ａから分岐された接続母線３ａは、第１の一端側立上げ部１０１に左側から接続される。図３０に示すように、Ｂ相主母線１ｂから分岐された接続母線３ｂは、第２の一端側立上げ部１０２に左側から接続される。図３３に示すように、Ｃ相主母線１ｃから分岐された接続母線３ｃは、第３の一端側立上げ部１０３に右側から接続される。図２９に示すように、Ａ相主母線２ａから分岐された接続母線３ａは、第７の他端側立上げ部１１７に左側から接続される。図３２に示すように、Ｂ相主母線２ｂから分岐された接続母線３ｂは、第８の他端側立上げ部１１８に右側から接続される。図３５に示すように、Ｃ相主母線２ｃから分岐された接続母線３ｃは、第９の他端側立上げ部１１９に右側から接続される。なお、接続母線３の経路は図４〜図１３で示した例と同じである。
【００４２】
変形例にかかるガス絶縁開閉装置５０では、６本の主母線１，２のうち２本の主母線となるＣ相主母線１ｃとＡ相主母線２ａとを、各一端側立上げ部１０１〜１０９と各他端側立上げ部１１１〜１１９との間となる領域に納めているので、主母線１，２が設けられた層でも左右方向の幅を狭めることができる。これにより、ガス絶縁開閉装置５０の設置面積の縮小化を図ることができる。これにより、ガス絶縁開閉装置５０が設置される変電所等の省スペース化を図ることができる。なお、本変形例では、第３の主母線であるＣ相主母線１ｃと第４の主母線であるＡ相主母線２ａとを、各一端側立上げ部１０１〜１０９と各他端側立上げ部１１１〜１１９との間となる領域に納めているが、各一端側立上げ部１０１〜１０９と各他端側立上げ部１１１〜１１９との間となる領域に納める主母線の組み合わせはこれに限られない。３本の主母線１から１本、３本の主母線２から１本選択して、各一端側立上げ部１０１〜１０９と各他端側立上げ部１１１〜１１９との間となる領域に納めればよい。
【００４３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４４】
１，２  主母線、１ａ，２ａ  Ａ相主母線、１ｂ，２ｂ  Ｂ相主母線、１ｃ，２ｃ  Ｃ相主母線、３，３ａ，３ｂ，３ｃ  接続母線、４  遮断器、５，６  引出し母線、７  計器用変流器、８  断路器、９  接地開閉器、４１  第１の遮断器、４２  第２の遮断器、４３  第３の遮断器、４４  第４の遮断器、４５  第５の遮断器、４６  第６の遮断器、４７  第７の遮断器、４８  第８の遮断器、４９  第９の遮断器、５０，１５０  ガス絶縁開閉装置、１０１  第１の一端側立上げ部、１０２  第２の一端側立上げ部、１０３  第３の一端側立上げ部、１０４  第４の一端側立上げ部、１０５  第５の一端側立上げ部、１０６  第６の一端側立上げ部、１０７  第７の一端側立上げ部、１０８  第８の一端側立上げ部、１０９  第９の一端側立上げ部、１１１  第１の他端側立上げ部、１１２  第２の他端側立上げ部、１１３  第３の他端側立上げ部、１１４  第４の他端側立上げ部、１１５  第５の他端側立上げ部、１１６  第６の他端側立上げ部、１１７  第７の他端側立上げ部、１１８  第８の他端側立上げ部、１１９  第９の他端側立上げ部。
【図１】
2018211707.tif 000003
【図２】
2018211707.tif 000004
【図３】
2018211707.tif 000005
【図４】
2018211707.tif 000006
【図５】
2018211707.tif 000007
【図６】
2018211707.tif 000008
【図７】
2018211707.tif 000009
【図８】
2018211707.tif 000010
【図９】
2018211707.tif 000011
【図１０】
2018211707.tif 000012
【図１１】
2018211707.tif 000013
【図１２】
2018211707.tif 000014
【図１３】
2018211707.tif 000015
【図１４】
2018211707.tif 000016
【図１５】
2018211707.tif 000017
【図１６】
2018211707.tif 000018
【図１７】
2018211707.tif 000019
【図１８】
2018211707.tif 000020
【図１９】
2018211707.tif 000021
【図２０】
2018211707.tif 000022
【図２１】
2018211707.tif 000023
【図２２】
2018211707.tif 000024
【図２３】
2018211707.tif 000025
【図２４】
2018211707.tif 000026
【図２５】
2018211707.tif 000027
【図２６】
2018211707.tif 000028
【図２７】
2018211707.tif 000029
【図２８】
2018211707.tif 000030
【図２９】
2018211707.tif 000031
【図３０】
2018211707.tif 000032
【図３１】
2018211707.tif 000033
【図３２】
2018211707.tif 000034
【図３３】
2018211707.tif 000035
【図３４】
2018211707.tif 000036
【図３５】
2018211707.tif 000037
【国際調査報告】
2018211707.tif 000038
2018211707.tif 000039